(57)【特許請求の範囲】
【請求項１】
柱と梁を仕口部材によって接合してなる柱と梁の接合構造であって、
前記仕口部材は、前記柱と梁の延長上の交差部に配置された柱梁接合部材と、
この柱梁接合部材の下端面に接合されるボックス状の第１柱接合部材と、
前記柱梁接合部材の側面に接合されるボックス状の梁接合部材とを備え、
前記柱梁接合部材と前記第１柱接合部材とは、前記柱梁接合部材の下端面に鉛直に固定された第１柱連結ボルトを前記第１柱接合部材に挿入してボルトナット接合され、
この第１柱接合部材と前記柱とは、この柱の上端面に鉛直に固定された第２柱連結ボルトを前記第１柱接合部材に挿入してボルトナット接合され、
前記柱梁接合部材と前記梁接合部材とは、前記柱梁接合部材の側面に水平に固定された第１梁連結ボルトを前記梁接合部材に挿入してボルトナット接合され、
この梁接合部材と前記梁とは、この梁の端面に水平に固定された第２梁連結ボルトを前記梁接合部材に挿入してボルトナット接合されている
ことを特徴とする柱と梁の接合構造。
【請求項２】
請求項１に記載の柱と梁の接合構造において、前記柱梁接合部材の上端面に鉛直に固定された第３柱連結ボルトと、この第３柱連結ボルトが挿入されるボックス状の第２柱接合部材と、この第２柱接合部材に接合される柱とを備え、
前記梁の上面に床パネルが前記梁接合部材の上面および前記柱梁接合部材の上端面を含んで設置され、
前記第２柱接合部材は、前記第３柱連結ボルトが、前記床パネルを貫通したうえで、前記第２柱接合部材に挿入されてボルトナット接合されることによって、前記床パネルの上面に固定され、
前記第２柱接合部材と柱とは、この柱の下端面に鉛直に固定された第４柱連結ボルトを前記第２柱接合部材に挿入してボルトナット接合されている
ことを特徴とする柱と梁の接合構造。
【請求項３】
請求項２に記載の柱と梁の接合構造において、
前記柱梁接合部材の端面および側面にはそれぞれねじ孔が形成されており、
前記端面に形成されたねじ孔に前記第１柱連結ボルトおよび第３柱連結ボルトが前記端面から突出するようにしてねじ込まれ、
前記側面に形成されたねじ孔に前記第１梁連結ボルトが前記側面から突出するようにしてねじ込まれている
ことを特徴とする柱と梁の接合構造。
【請求項４】
請求項２または３に記載の柱と梁の接合構造において、
前記柱および梁はそれぞれ木質の角材によって形成されており、
前記柱の、前記第１柱接合部材および前記第２柱接合部材に接合される端部に、金属製の補強キャップが被され、
前記梁の、前記梁接合部材に接合される端部に、金属製の補強キャップが被されている
ことを特徴とする柱と梁の接合構造。
【請求項５】
請求項２〜４のいずれか一項に記載の柱と梁の接合構造において、
前記柱にその端面に開口する挿入穴が形成され、この挿入穴に接着剤が充填されたうえで前記第４柱連結ボルトおよび第２柱連結ボルトが前記端面から突出させて挿入固定されており、
前記梁にその端面に開口する挿入穴が形成され、この挿入穴に接着剤が充填されたうえで前記第２梁連結ボルトが前記端面から突出させて挿入固定されている
ことを特徴とする柱と梁の接合構造。
【発明の詳細な説明】
【技術分野】
【０００１】
本発明は、柱と梁の接合構造に関する。
【背景技術】
【０００２】
在来工法における柱と梁の接合は、例えば木材の接合部を切削加工した凹凸仕口によって行われていたが、近年では、例えば、特許文献１に記載のような接合金物を用いた技術が提案されている。このような技術によれば、木材の接合部を切削加工する手間やコストを省きながら、柱と梁の接合部を強化して耐震強度を向上できるようになっている。
【先行技術文献】
【特許文献】
【０００３】
【特許文献１】特開２００２−０１３１９９号公報
【発明の概要】
【発明が解決しようとする課題】
【０００４】
ところで、例えば接合金物と柱、接合金物と梁とを接合するためのピンをより多く使用して、柱と梁の接合部をより強化したいという要望があるが、ピンが挿入される孔を多数形成したり、多数のピンを打ち込んだりする手間やコストが増加する場合があり、好ましくない。そこで、このように多くのピンを使用せずとも、柱と梁とを容易かつ強固に接合できる技術の開発が望まれていた。
【０００５】
本発明は、柱と梁とを容易かつ強固に接合できる柱と梁の接合部構造を提供することを目的とする。
【課題を解決するための手段】
【０００６】
上記課題を解決するために、請求項１に記載の発明は、例えば、図１〜図３に示すように、
柱１０Ａと梁２０を仕口部材３０によって接合してなる柱１０Ａと梁２０の接合構造であって、
前記仕口部材３０は、前記柱１０Ａと梁２０の延長上の交差部に配置された柱梁接合部材３１と、
この柱梁接合部材３１の下端面に接合されるボックス状の第１柱接合部材３２と、
前記柱梁接合部材３１の側面に接合されるボックス状の梁接合部材３３とを備え、
前記柱梁接合部材３１と前記第１柱接合部材３２とは、前記柱梁接合部材３１の下端面に鉛直に固定された第１柱連結ボルト４１を前記第１柱接合部材３２に挿入してボルトナット接合され、
この第１柱接合部材３２と前記柱１０Ａとは、この柱１０Ａの上端面に鉛直に固定された第２柱連結ボルト４２を前記第１柱接合部材３２に挿入してボルトナット接合され、
前記柱梁接合部材３１と前記梁接合部材３３とは、前記柱梁接合部材３１の側面に水平に固定された第１梁連結ボルト５１を前記梁接合部材３３に挿入してボルトナット接合され、
この梁接合部材３３と前記梁２０とは、この梁２０の端面に水平に固定された第２梁連結ボルト５２を前記梁接合部材３３に挿入してボルトナット接合されていることを特徴とする。
【０００７】
請求項１に記載の発明によれば、前記柱梁接合部材３１と前記第１柱接合部材３２とは、この柱梁接合部材３１の下端面に鉛直に固定された第１柱連結ボルト４１を前記第１柱接合部材３２に挿入してボルトナット接合され、この第１柱接合部材３２と前記柱１０Ａとは、この柱１０Ａの上端面に鉛直に固定された第２柱連結ボルト４２を前記第１柱接合部材３２に挿入してボルトナット接合されているため、前記柱１０Ａを、前記第１柱接合部材３２を介して前記柱梁接合部材３１と接合することができる。
また、前記柱梁接合部材３１と前記梁接合部材３３とは、この柱梁接合部材３１の側面に水平に固定された第１梁連結ボルト５１を前記梁接合部材３３に挿入してボルトナット接合され、この梁接合部材３３と前記梁２０とは、この梁２０の端面に水平に固定された第２梁連結ボルト５２を前記梁接合部材３３に挿入してボルトナット接合されているため、前記梁２０を、前記梁接合部材３３を介して前記柱梁接合部材３１と接合することができる。
このように、前記柱１０Ａと前記梁２０は、それぞれ前記第１柱接合部材３２と前記梁接合部材３３を介して前記柱梁接合部材３１にボルトナット接合されているので、柱１０Ａと梁２０を容易かつ強固に接合することができる。
【０００８】
請求項２に記載の発明は、例えば、図３に示すように、
請求項１に記載の柱１０Ａと梁２０の接合構造において、前記柱梁接合部材３１の上端面に鉛直に固定された第３柱連結ボルト４３と、この第３柱連結ボルト４３が挿入されるボックス状の第２柱接合部材３４と、この第２柱接合部材３４に接合される柱とを備え、
前記梁２０の上面に床パネル６０が前記梁接合部材３３の上面および前記柱梁接合部材３１の上端面を含んで設置され、
前記第３柱連結ボルト４３が、前記床パネル６０を貫通したうえで、前記第２柱接合部材３４に挿入されてボルトナット接合されることによって、前記第２柱接合部材３４が前記床パネル６０の上面に固定され、
前記第２柱接合部材３４と柱１０Ｂとは、この柱１０Ｂの下端面に鉛直に固定された第４柱連結ボルト４４を前記第２柱接合部材３４に挿入してボルトナット接合されていることを特徴とする。
【０００９】
請求項２に記載の発明によれば、前記梁２０の上面に床パネルが前記梁接合部材３３の上面および前記柱梁接合部材３１の上端面を含んで設置され、前記柱梁接合部材３１の上端面に固定された前記第３柱連結ボルト４３が、前記床パネル６０を貫通したうえで、前記第２柱接合部材３４に挿入されてボルトナット接合されることによって、前記第２柱接合部材３４が前記床パネル６０の上面に固定され、前記第２柱接合部材３４と前記柱１０Ｂとは、この柱１０Ｂの下端面に鉛直に固定された第４柱連結ボルト４４を前記第２柱接合部材３４に挿入してボルトナット接合されているので、前記梁２０の上面に床パネル６０が設置されている一方で、前記柱１０Ｂを、前記床パネル６０および前記第２柱接合部材３４を介して前記柱梁接合部材３１と接合することができるため、前記柱１０Ｂと前記梁２０を、容易かつ強固に接合されることができる。また、床パネル６０を前記柱梁接合部材３１と前記第２柱接合部材３４とで挟むことにより、床パネル６０を強固に固定できる。
【００１０】
請求項３に記載の発明は、例えば、図１〜図３に示すように、
請求項２に記載の柱１０Ａ、１０Ｂと梁２０の接合構造において、
前記柱梁接合部材３１の端面および側面にはそれぞれねじ孔が形成されており、
前記端面に形成されたねじ孔に前記第１柱連結ボルト４１および第３柱連結ボルト４３が前記端面から突出するようにしてねじ込まれ、
前記側面に形成されたねじ孔に前記第１梁連結ボルト５１が前記側面から突出するようにしてねじ込まれていることを特徴とする。
【００１１】
請求項３に記載の発明によれば、前記端面に形成されたねじ孔に前記第１柱連結ボルト４１および第３柱連結ボルト４３が前記端面から突出するようにしてねじ込まれているので、前記第１柱連結ボルト４１および第３柱連結ボルト４３を確実に取付固定できるとともに、前記柱梁接合部材３１に前記前記第１柱接合部材３２および前記第２柱接合部材３４をボルトナット接合するために適切なボルトの突出長さを調整できる。また、前記側面に形成されたねじ孔に前記第１梁連結ボルト５１が前記側面から突出するようにしてねじ込まれているので、前記第１梁連結ボルト５１を確実に取付固定できるとともに、前記柱梁接合部材３１に前記梁接合部材３３をボルトナット接合するために適切なボルトの突出長さを調整できる。
【００１２】
請求項４に記載の発明は、例えば、図１〜図４に示すように、
請求項２または３に記載の柱１０Ａ、１０Ｂと梁２０の接合構造において、
前記柱１０Ａ、１０Ｂおよび梁２０はそれぞれ木質の角材によって形成されており、
前記柱１０Ａ、１０Ｂの、前記第１柱接合部材３２および前記第２柱接合部材３４に接合される端部に、金属製の補強キャップ１１が被され、
前記梁２０の、前記梁接合部材３３に接合される端部に、金属製の補強キャップ２１が被されていることを特徴とする。
【００１３】
請求項４に記載の発明によれば、木質の角材によって形成された前記柱１０Ａ、１０Ｂおよび梁２０の、前記第１柱接合部材３２および前記第２柱接合部材３４及び前記梁接合部材に接合されるそれぞれの端部に、金属製の補強キャップ１１、２１が被されているので、ボルトナット接合で強く締め付けた際に、前記第１柱接合部材３２および前記第２柱接合部材３４の端部と接合する前記柱１０Ａ、１０Ｂおよび前記梁接合部材３３の端部と接合する梁２０の端部が幅方向に広がるのを防止して、柱と第１柱接合部材３２および前記第２柱接合部材３４を強固に接合することができる。
【００１４】
請求項５に記載の発明は、例えば、図１〜図３に示すように、
請求項２〜４のいずれか一項に記載の柱１０Ａと梁２０の接合構造において、
前記柱１０Ａにその端面に開口する挿入穴が形成され、この挿入穴に接着剤が充填されたうえで前記第４柱連結ボルト４４および第２柱連結ボルト４２が前記端面から突出させて挿入固定されており、
前記梁２０にその端面に開口する挿入穴が形成され、この挿入穴に接着剤が充填されたうえで前記第２梁連結ボルト５２が前記端面から突出させて挿入固定されていることを特徴とする。
【００１５】
請求項５に記載の発明によれば、前記柱１０Ａおよび前記梁２０にその端面に開口する挿入穴が形成され、この挿入穴に接着剤が充填されたうえで前記第４柱連結ボルト４４、第２柱連結ボルト４２および前記第２梁連結ボルト５２が前記端面から突出させて挿入固定されているので、前記連結ボルト４４、４２、５２と前記柱１０Ａおよび前記梁２０が強固に固定され、前記柱１０Ａ、１０Ｂおよび前記梁２０と前記接合部材３２、３３、３４をボルトナット接合で強固に固定することができる。
【発明の効果】
【００１６】
本発明によれば、柱と梁とを容易かつ強固に接合できる柱と梁の接合部構造を提供することができる。
【図面の簡単な説明】
【００１７】
【図１】本発明に係る柱と梁の接合構造の一例を示す図であり、（ａ）は下階の柱と梁の接合部分を示す斜視図であり、（ｂ）は図１（ａ）のＩ−Ｉ断面図である。
【図２】同、（ａ）は下階の柱と梁の接合部分を示す斜視図であり、（ｂ）は図２（ａ）のＩＩ−ＩＩ断面図である。
【図３】同、（ａ）は下階の柱と上階の柱と梁の接合部分を示す斜視図であり、（ｂ）は図３（ａ）のＩＩＩ−ＩＩＩ断面図である。
【図４】同、柱と柱に被せるキャップの分解斜視図である。
【発明を実施するための形態】
【００１８】
以下、図面を参照して本発明の実施の形態について説明する。
【００１９】
＜実施の形態＞
本実施の形態の柱と梁の接合部構造は、例えば、図１〜図３に示すように、建物の下階の柱１０Ａと上階の柱１０Ｂと梁２０を仕口部材３０によって接合してなる下階の柱１０Ａと上階の柱１０Ｂと梁２０の接合構造である。
【００２０】
ここで、本件発明が適用可能な建物としては、仕口部材３０によって結合されている複数の柱と梁から形成された躯体を有する軸組み工法によるものが好適である。
【００２１】
前記仕口部材３０は、前記下階の柱１０Ａと上階の柱１０Ｂと梁２０の延長上の交差部に配置された柱梁接合部材３１と、この柱梁接合部材３１の下端面に接合されるボックス状の第１柱接合部材３２と、この柱梁接合部材３１の上端面に接合されるボックス状の第２柱接合部材３４と、前記柱梁接合部材３１の側面に接合されるボックス状の梁接合部材３３とを備える。
【００２２】
前記柱梁接合部材３１は直方体状に形成されており、前記柱梁接合部材３１の上下の端面および４つの側面にはそれぞれねじ孔が形成されており、任意の面に連結ボルトがねじ込み可能となっている。前記上下の端面に形成されたねじ孔に前記第１柱連結ボルト４１および第３柱連結ボルト４３が前記上下の端面からそれぞれ突出するようにしてねじ込まれている。また、前記側面に形成されたねじ孔に前記第１梁連結ボルト５１が前記側面から突出するようにしてねじ込まれている。
【００２３】
図１および図２に示すように、第１柱接合部材３２は外形が直方体状で、かつ内部に断面矩形の空洞を有し、対向する一対の側面が開口するボックス状（四角筒状）のものであり、上下に互いに対向する上下端面のそれぞれに第１柱連結ボルト４１と第２柱連結ボルト４２が挿通されるボルト挿通孔が設けられている。そして、このような第１柱接合部材３２は上端面が前記柱梁接合部材３１の下端面に接合され、下端面が前記柱１０Ａの上端面に接合されている。また、第１柱接合部材３２は、その開口を図１において左右または前後に向けて配置され、この開口からナット５３を各連結ボルトに螺合し、締め付けることにより、ボルトナット結合が可能になる。
また、図３に示すように、前記第２柱接合部材３４は外形が直方体状で、かつ内部に断面矩形の空洞を有し、対向する一対の側面が開口するボックス状（四角筒状）のものであり、上下に互いに対向する上下端面のそれぞれに第４柱連結ボルト４４と第３柱連結ボルト４３が挿通されるボルト挿通孔が設けられている。そして、このような第２柱接合部材３４は下端面が床パネル６０の上面に当接され、上端面が前記柱１０Ｂの下端面に接合されている。また、第２柱接合部材３４は、その開口を図３（ａ）において左右または前後に向けて配置され、この開口からナット５３を各連結ボルトに螺合し、締め付けることにより、ボルトナット結合が可能になる。
また、前記梁接合部材３３は外形が直方体状で、かつ内部に断面矩形の空洞を有し、対向する一対の側面が開口するボックス状（四角筒状）のものであり、上下の長さは前記第１柱接合部材３２および第２柱接合部材３４より長くなっており、さらに、左右に互いに対向する２側面のそれぞれに第１梁連結ボルト５１と第２梁連結ボルト５２が挿通されるボルト挿通孔が設けられている。そして、このような梁接合部材３３は開口していない一方の側面が柱梁接合部材３１の側面に接合され、他方の側面が梁２０の端面に接合されている。また梁接合部材３３は、その開口を梁２０の側面側に向けて配置され、この開口からナット５３を各連結ボルトに螺合し、締め付けることにより、ボルトナット結合が可能になる。
なお、本実施の形態では、前記第１柱接合部材３２、第２柱接合部材３４、梁接合部材３３を四角筒状のものとしたが、これに代えて、内部に空洞を有しかつ４つの側面のうち、一つの側面が開口したボックス状のものとしてもよい。
【００２４】
前記柱梁接合部材３１と前記第１柱接合部材３２とは、この柱梁接合部材３１の下端面に鉛直に固定された第１柱連結ボルト４１を前記第１柱接合部材３２の上端面のボルト挿通孔に挿通し、ナットを螺合して締め付けることによって、ボルトナット接合されている。この第１柱接合部材３２と前記柱１０Ａとは、この柱１０Ａの上端面に鉛直に固定された第２柱連結ボルト４２を前記第１柱接合部材３２の下端面のボルト挿通孔に挿通し、ナットを螺合して締め付けることによってボルトナット接合されている。
【００２５】
前記柱梁接合部材３１と前記梁接合部材３３とは、前記柱梁接合部材３１の側面に水平に固定された第１梁連結ボルト５１を前記梁接合部材３３の一方の側面のボルト挿通孔に挿通し、ナットを螺合して締め付けることによってボルトナット接合されている。この梁接合部材３３と前記梁２０とは、この梁２０の端面に水平に固定された第２梁連結ボルト５２を前記梁接合部材３３の他方の側面のボルト挿通孔に挿通し、ナットを螺合して締め付けることによってボルトナット接合されている。
【００２６】
図３に示すように、前記梁２０の上面に床パネル６０が前記梁接合部材３３の上面および前記柱梁接合部材３１の上端面を含んで設置され、前記柱梁接合部材３１の上端面に固定された前記第３柱連結ボルト４３が、前記床パネル６０を貫通したうえで、前記第２柱接合部材３４の下端面のボルト挿通孔に挿通され、ナットを螺合して締め付けることによってボルトナット接合され、これによって、前記床パネル６０の上面に第２柱接合部材３４が固定されている。
前記第２柱接合部材３４と前記柱１０Ｂとは、この柱１０Ｂの下端面に鉛直に固定された第４柱連結ボルト４４を前記第２柱接合部材３４の上端面のボルト挿通孔に挿通し、ナットを螺合して締め付けることによってボルトナット接合されている。
【００２７】
前記柱１０Ａ、１０Ｂおよび梁２０はそれぞれ木質の角材によって形成されており、前記柱１０Ａ、１０Ｂの、前記第１柱接合部材３２および前記第２柱接合部材３４に接合される端部に、金属製の補強キャップ１１が被され、前記梁２０の、前記梁接合部材３３に接合される端部に、金属製の補強キャップ２１が被されている。
【００２８】
具体的には、図４に示すように、前記柱１０Ａ、１０Ｂの端部には、この柱１０Ａ、１０Ｂの端面および外周面を覆う補強キャップ１１、２１として、座金３８が設けられている。また、梁２０となる建築構造材にも座金３８が設けられることが望ましい。つまり、座金３８は、柱１０Ａ、１０Ｂ等の端部の保護や緩み防止の機能を発揮するので、直立する柱１０Ａ、１０Ｂと、直立する柱１０Ａ、１０Ａ間に架設される梁２０の安定的な取付状態を維持できることとなる。
なお、本実施の形態においては、柱１０Ａ、１０Ｂとなる建築構造材だけでなく、その他の建築構造材を構成する梁２０の端部にも座金３８が設けられている。
【００２９】
柱１０Ａ、１０Ｂの外周部には環状部３８ｂが装着される装着面１０ｅが形成されている。装着面１０ｅは柱１０Ａ、１０Ｂの外周部を周方向に沿って所定の幅で所定の深さだけ削って形成されたものであり、柱１０Ａ、１０Ｂの外周面（側面）との間に所定の段差を有している。
【００３０】
前記座金３８は、柱１０Ａ、１０Ｂの上端部および下端部に取り付けられるものであり、平板部３８ａと環状部３８ｂとを備えて構成されている。
平板部３８ａは正方形板状のものであり、柱１０Ａ、１０Ｂの端面と略等しい大きさに形成されている。また、平板部３８ａの中央部には、第２柱連結ボルト４２、第４柱連結ボルト４４の直径と略等しい内径のボルト挿通孔３９が形成されている。さらに、平板部３８ａにはボルト挿通孔３９を挟んでビス穴４０，４０が平板部３８ａの対角方向に離間して形成されている。
環状部３８ｂは平板部３８ａの外周部に沿って正方形環状に、かつ、平板部３８ａに対して直角に形成されている。また、環状部３８ｂの高さは前記装着面１０ｅの幅と略等しくなっており、環状部３８ｂの厚さは、装着面１０ｅと柱１０Ａ、１０Ｂの外周面との間の段差と略等しくなっている。
さらに、座金３８の４つの角部には、角穴３８ｃがそれぞれ形成されている。
【００３１】
このように構成された座金３８は、平板部３８ａの裏面を柱１０Ａ、１０Ｂの端面に当接するともに、ボルト挿通孔３９に前記第２柱連結ボルト４２、第４柱連結ボルト４４をそれぞれ挿通し、さらに、環状部３８ｂを柱１０Ａ、１０Ｂの外周部の装着面１０ｅに外嵌して取り付けられている。この状態において、ボルト挿通孔３９と第２柱連結ボルト４２、第４柱連結ボルト４４とは同軸に配置され、かつ、第２柱連結ボルト４２、第４柱連結ボルト４４の先端部は座金３８の平板部３８ａより所定の長さだけ突出している。また、平板部３８ａに形成されたビス穴４０，４０にはビス４０ａ，４０ａが挿通され、柱１０Ａ、１０Ｂの端面にねじ込まれている。これによって、座金３８は柱１０Ａ、１０Ｂの端部に強固に固定されている。さらに、座金３８の角穴３８ｃに、柱１０Ａ、１０Ｂの端面の４つの角部が露出しており、これによって、柱１０Ａ、１０Ｂの端面を座金３８の平板部３８ａの裏面に確実に当接させるとともに、柱１０Ａ、１０Ｂの下端面の４つの角部の潰れを防止している。
【００３２】
また、前記柱１０Ａ、１０Ｂにその端面に開口する挿入穴が形成され、この挿入穴に接着剤が充填されたうえで前記第２柱連結ボルト４２および第４柱連結ボルト４４が前記端面から突出させて挿入固定されており、前記梁２０にその端面に開口する挿入穴が形成され、この挿入穴に接着剤が充填されたうえで前記第２梁連結ボルト５２が前記端面から突出させて挿入固定されている。
【００３３】
上記のような本発明に係る柱と梁の接合構造は、例えば、以下のようにして施工する。すなわちまず、工場等において、柱１０Ａ、１０Ｂの端部に補強キャップ１１、１１を被せるとともに、柱１０Ａの上端面に補強キャップ１１を挟んで第１柱接合部材３２を接合し、また柱１０Ｂの下端面に補強キャップ１１を挟んで第２柱接合部材３４を接合する。
また、梁２０の端部に補強キャップ２１を被せるとともに梁２０の端面に補強キャップ２１を挟んで梁接合部材３３を接合する。
【００３４】
そして、現場では、柱梁接合部材３１に第１柱連結ボルト４１、第３柱連結ボルト４３、第１梁連結ボルト５１をねじ込んで固定する。
次に、第１柱連結ボルト４１を前記第１柱接合部材３２の上端面のボルト挿通孔に挿通し、ナットを螺合して締め付けてボルトナット接合することによって、柱１０Ａと柱梁接合部材３１とを接合する。
また、第１梁連結ボルト５１を前記梁接合部材３３の一方の側面のボルト挿通孔に挿通し、ナットを螺合して締め付けてボルトナット接合することによって、梁２０と柱梁接合部材３１とを接合する。
また、前記梁２０の上面、前記梁接合部材３３の上面および前記柱梁接合部材３１の上端面に床パネル６０を設置する。前記柱梁接合部材３１の上端面に固定された前記第３柱連結ボルト４３が、前記床パネル６０を貫通したうえで、前記第２柱接合部材３４の下端面のボルト挿通孔を挿通し、前記第３柱連結ボルト４３にナットを螺合して締め付けることによってボルトナット接合し、これによって、前記床パネル６０の上面に第２柱接合部材３４を固定する。
上記のように施工することで、現場ではボルトナット接合だけで、柱１０Ａ、１０Ｂと梁２０を接合することにより、建物の躯体を施工でき、現場での作業効率を向上できる。
【００３５】
なお、現場にて、柱梁接合部材３１の下端面に第１柱接合部材３２の上端面をボルトナット接合し、その後、柱１０Ａの上端面と第１柱接合部材３２の下端面とをボルトナット接合してもよい。また、床パネル６０の上端面に第２柱接合部材３４をボルトナット接合し、その後、柱１０Ｂと第２柱接合部材３４とをボルトナット接合してもよい。また、柱梁接合部材３１の側面に梁接合部材３３をボルトナット接合し、その後、梁２０と梁接合部材３３とをボルトナット接合してもよい。
また、現場にて、柱１０Ａの上端面と第１柱接合部材３２下端面とをボルトナット接合し、その後、柱梁接合部材３１の下端面に第１柱接合部材３２の上端面をボルトナット接合してもよい。また、柱１０Ｂの下端面と第２柱接合部材３４の上端面とをボルトナット接合し、その後、床パネル６０の上端面に第２柱接合部材３４の下端面をボルトナット接合してもよい。また、梁２０と梁接合部材３３とをボルトナット接合し、その後、柱梁接合部材３１に梁接合部材３３をボルトナット接合してもよい。
上記のように施工した場合でも、現場ではボルトナット接合だけで、柱１０Ａ、１０Ｂと梁２０を接合することにより、建物の躯体を施工でき、現場での作業効率を向上できる。
【００３６】
本実施の形態によれば、前記柱梁接合部材３１と前記第１柱接合部材３２とは、この柱梁接合部材３１の下端面に鉛直に固定された第１柱連結ボルト４１を前記第１柱接合部材３２に挿入してボルトナット接合され、この第１柱接合部材３２と前記柱１０Ａとは、この柱１０Ａの上端面に鉛直に固定された第２柱連結ボルト４２を前記第１柱接合部材３２に挿入してボルトナット接合されているため、前記柱１０Ａを、前記第１柱接合部材３２を介して前記柱梁接合部材３１とボルトナット接合することができる。
また、前記柱梁接合部材３１と前記梁接合部材３３とは、この柱梁接合部材３１の側面に水平に固定された第１梁連結ボルト５１を前記梁接合部材３３に挿入してボルトナット接合され、この梁接合部材３３と前記梁２０とは、この梁２０の端面に水平に固定された第２梁連結ボルト５２を前記梁接合部材３３に挿入してボルトナット接合されているため、前記梁２０を、前記梁接合部材３３を介して前記柱梁接合部材３１とボルトナット接合することができる。
このように、前記柱１０Ａと前記梁２０は、それぞれの前記第１柱接合部材３２と前記梁接合部材３３を介して前記柱梁接合部材にボルトナット結合されるので、柱１０Ａと梁２０を容易かつ強固に接合されることができる。
【００３７】
また、前記梁２０の上面に床パネルが前記梁接合部材３３の上面および前記柱梁接合部材３１の上端面を含んで設置され、前記柱梁接合部材３１の上端面に固定された前記第３柱連結ボルト４３が、前記床パネル６０を貫通したうえで、前記第２柱接合部材３４に挿入されてボルトナット接合されることによって、前記第２柱接合部材３４が前記床パネル６０の上面に固定され、前記第２柱接合部材３４と前記柱１０Ｂとは、この柱１０Ｂの下端面に鉛直に固定された第４柱連結ボルト４４を前記第２柱接合部材３４に挿入してボルトナット接合されているので、前記梁２０の上面に床パネル６０が設置されている一方で、前記柱１０Ｂを、前記床パネル６０および前記第２柱接合部材３４を介して前記柱梁接合部材３１とボルトナット接合することができるため、前記柱１０Ｂと前記梁２０を、容易かつ強固に接合されることができる。また、床パネル６０を前記柱梁接合部材３１と前記第２柱接合部材３４とで挟むことにより、床パネル６０を強固に固定できる。
【００３８】
また、前記端面に形成されたねじ孔に前記第１柱連結ボルト４１および第３柱連結ボルト４３が前記端面から突出するようにしてねじ込まれているので、前記第１柱連結ボルト４１および第３柱連結ボルト４３を確実に取付固定できるとともに、前記柱梁接合部材３１に前記前記第１柱接合部材３２および前記第２柱接合部材３４をボルトナット接合するために適切なボルトの突出長さを調整できる。また、前記側面に形成されたねじ孔に前記第１梁連結ボルト５１が前記側面から突出するようにしてねじ込まれているので、前記柱梁接合部材３１に前記梁接合部材３３をボルトナット接合するために適切なボルトの突出長さを調整できる。
【００３９】
また、木質の角材によって形成された前記柱１０Ａ、１０Ｂおよび梁２０の、前記第１柱接合部材３２および前記第２柱接合部材３４及び前記梁接合部材に接合されるそれぞれの端部に、金属製の補強キャップ１１、２１が被されているので、ボルトナット接合で強く締め付けた際に、前記第１柱接合部材３２および前記第２柱接合部材３４の端部と接合する前記柱１０Ａ、１０Ｂおよび梁２０の端部および前記梁接合部材３３の端部と接合する梁２０の端部が幅方向に広がるのを防止して、柱と第１柱接合部材３２および前記第２柱接合部材３４を強固に接合することができる。
【００４０】
また、前記柱１０Ａ、１０Ｂおよび前記梁２０にその端面に開口する挿入穴が形成され、この挿入穴に接着剤が充填されたうえで前記第１柱連結ボルト４１、第２柱連結ボルト４３および前記第２梁連結ボルト５２が前記端面から突出させて挿入固定されてので、前記連結ボルト４１、４３、５２と前記柱１０Ａ、１０Ｂおよび前記梁２０が強固に固定され、前記柱１０Ａ、１０Ｂおよび前記梁２０と前記接合部材３２、３３、３４をボルトナット接合で強固に固定することができる。
【００４１】
なお、上記実施の形態では、１本のボルトでボルトナット接合をする例を示したが、これに限られない。各面において、２本以上のボルトでボルトナット接合をしてもよい。
また、上記実施の形態では、入隅部分の柱と梁の接合構造について説明したが、これに限られない。柱梁連結部材３１に挿入する第１梁連結ボルト５１の数を調整することで、出隅部分、凹凸のない壁部分等の柱と梁の接合構造に適用可能である。
なお、変形例においては、上記実施の形態と同じ部材には同一の符号を付し、説明を省略する。
【符号の説明】
【００４２】
１０Ａ、１０Ｂ       柱
１１   補強キャップ
２０   梁
２１   補強キャップ
３０   仕口部材
３１   柱梁接合部材
３２   第１柱接合部材
３４   第２柱接合部材
３３   梁接合部材
４１   第１柱連結ボルト
４２   第２柱連結ボルト
４３   第３柱連結ボルト
４４   第４柱連結ボルト
５１   第１梁連結ボルト
５２   第２梁連結ボルト
６０   床パネル
【図１】
0005658625.tif 000002
【図２】
0005658625.tif 000003
【図３】
0005658625.tif 000004
【図４】
0005658625.tif 000005